(57)【特許請求の範囲】
【請求項１】
組込み型処理モジュールと、ネットワーク接続モジュールと、端末接続モジュールとを備えるホットスポット装置であって、
前記組込み型処理モジュールが、前記ネットワーク接続モジュールをインターネットに接続するように制御するとともに、前記ネットワーク接続モジュールと前記端末接続モジュールとの間の通信を制御するように構成され、
前記端末接続モジュールが、局(STA)チップと、第１のアンテナとを備え、
前記STAチップが、特定のエリア内でインターネット無線信号到達範囲を実現するために、前記組込み型処理モジュールによって前記ネットワーク接続モジュールを介してインターネットから取得されたデータ情報を、前記組込み型処理モジュールから受信し、前記データ情報を処理し、前記第１のアンテナを介して特定のエリア内で、前記処理されたデータ情報である無線信号を出力するように構成され、
前記STAチップが、前記第１のアンテナから、前記無線信号到達範囲の前記エリア内で無線ローカルエリアネットワーク(WLAN)機器によって出力された無線信号形式のデータ情報を受信し、前記データ情報を処理し、前記データ情報を前記組込み型処理モジュールに入力し、前記データ情報を前記組込み型処理モジュールおよび前記ネットワーク接続モジュールを介してインターネットに送信するようにさらに構成されるホットスポット装置。
【請求項２】
少なくとも２つのWLAN機器が存在し、前記組込み型処理モジュールが、前記WLAN機器間の通信を実現するために、前記端末接続モジュールを前記WLAN機器間でデータを送信するように制御するようにさらに構成される請求項１に記載のホットスポット装置。
【請求項３】
前記ネットワーク接続モジュールが、無線ネットワーク接続モジュールおよび/または有線ネットワーク接続モジュールを備え、
前記無線ネットワーク接続モジュールが、無線信号を介してインターネット基地局と通信するように構成され、前記インターネット基地局を介してインターネットに接続され、
前記有線ネットワーク接続モジュールが、ブロードバンドまたは電話回線を介してインターネットに接続するように構成される請求項１または２に記載のホットスポット装置。
【請求項４】
前記無線ネットワーク接続モジュールが、無線チップと第２のアンテナとを備え、
前記第２のアンテナが、前記無線信号形式のデータ情報を出力または受信することによって前記インターネット基地局と通信し、
前記無線チップが、前記組込み型処理モジュールから前記データ情報を受信し、前記データ情報を処理し、前記第２のアンテナを介して前記インターネット基地局に前記処理されたデータ情報である無線信号を出力し、前記インターネット基地局によって前記第２のアンテナから出力された前記無線信号形式のデータ情報を受信し、前記データ情報を処理し、前記データ情報を前記組込み型処理モジュールに入力するように構成される請求項３に記載のホットスポット装置。
【請求項５】
ソフトアクセスポイント(ソフトAP)ソフトウェアプログラムを格納するように構成された記憶モジュールをさらに備え、前記組込み型処理モジュールが、前記記憶モジュール内の前記ソフトAPソフトウェアプログラムを前記STAチップにロードし、前記ソフトAPソフトウェアプログラムによって前記STAチップを駆動するようにさらに構成される請求項１から４のいずれか一項に記載のホットスポット装置。
【請求項６】
前記記憶モジュールがマルチチップパッケージ(MCP)チップである請求項５に記載のホットスポット装置。
【請求項７】
前記組込み型処理モジュールが、無線データ転送モジュールと、ルーティングモジュールと共有メモリモジュールとを備え、
前記共有メモリモジュールが、前記無線データ転送モジュールと前記ルーティングモジュールの間で交信されたデータを格納するように構成され、
前記無線データ転送モジュールが、前記共有メモリモジュールを介して前記無線チップと前記ルーティングモジュールの間でデータ転送経路を確立するように構成され、
前記ルーティングモジュールが、前記STAチップと通信し、前記共有メモリモジュールを介して前記無線チップと通信するように構成される請求項１から６のいずれか一項に記載のホットスポット装置。
【請求項８】
前記共有メモリモジュールが、仮想デュアルポートランダムアクセスメモリ(RAM)型の共有メモリである請求項７に記載のホットスポット装置。
【請求項９】
前記ルーティングモジュールと前記STAチップが、セキュアデジタル入出力(SDIO)インタフェースを介して互いに通信する請求項７に記載のホットスポット装置。
【請求項１０】
前記ルーティングモジュールが、低レベルドライバモジュールと、インタフェースプロトコル(IP)モジュールと、ネットワークアドレス変換(NAT)モジュールと、ルートモジュールと、転送制御プロトコル(TCP)/ユーザデータグラムプロトコル(UDP)モジュールと、ダイアルアップモジュールと、共有メモリデータ送信モジュールとを備え、
前記低レベルドライバモジュールが、前記IPモジュールと前記STAチップの間でデータを送信するための物理インタフェースを駆動するように構成され、
前記IPモジュールが、前記低レベルドライバモジュールを介して前記STAチップからデータを受信し、前記データをIPパッケージ形式にカプセル化し、前記IPパッケージを前記ルートモジュールに送信し、前記ルートモジュールから前記IPパッケージ形式のデータを取得し、前記低レベルドライバモジュールによって識別可能な形式に前記IPパッケージ形式を変換し、前記低レベルドライバモジュールを介して前記STAチップに前記形式のデータを送信するように構成され、
前記NATモジュールが、前記WLAN機器のアドレスとインターネットのアドレスの間の変換を実行するように構成され、
前記ルートモジュールが、前記IPモジュールから受信した前記IPパッケージ形式のデータのルーティング構造による前記IPパッケージ形式のデータのアドレスと、前記NATモジュールによって割り当てられたアドレスとを照合し、前記データを転送するように構成され、
前記TCP/UDPモジュールが、前記STAチップと通信するWLAN機器が必要とするデータを識別し、前記WLAN機器に対応するデータ伝送アドレスを識別するために前記NATモジュールと協働するように構成され、
前記ダイアルアップモジュールが、前記ルートモジュールと前記インターネット基地局の間のデータ伝送路をダイアルアップ方式で確立するように構成され、
前記共有メモリデータ送信モジュールが、前記共有メモリモジュールを介して前記無線データ転送モジュールに前記データ情報を送信し、前記共有メモリモジュールを介して前記無線データ転送モジュールから前記データ情報を読み出し、前記ルートモジュールに前記データ情報を入力するように構成される請求項７に記載のホットスポット装置。
【請求項１１】
前記共有メモリデータ送信モジュールが、共有メモリデータ経路モジュールと、制御モジュールと、診断モジュールとを備え、
前記共有メモリデータ経路モジュールが、前記共有メモリモジュールと前記ルートモジュールの間で前記データを送信するように構成され、
前記制御モジュールが、前記共有メモリデータ経路モジュール上でデータ伝送路を確立し維持するように構成され、
前記診断モジュールが、前記共有メモリモジュールから前記無線データ転送モジュールに関する情報を受信し、前記無線データ転送モジュールが正常に働くかどうかテストし、ユニバーサルシリアルバス(USB)モジュールを介して外部情報処理装置にテスト結果を送信するように構成される請求項１０に記載のホットスポット装置。
【請求項１２】
USBモジュールをさらに備え、前記USBモジュールが、プラグ差込みにより外部情報処理装置に電気的に接続され、前記ルーティングモジュールが、前記USBモジュールを介して前記外部情報処理装置と通信するようにさらに構成される請求項７から１１のいずれか一項に記載のホットスポット装置。
【請求項１３】
電源管理モジュールをさらに備え、電源が充電可能バッテリであり、前記電源管理モジュールが、前記無線ネットワーク接続モジュール、前記組込み型処理モジュールおよび前記端末接続モジュールに適した電圧および/または電流の電力エネルギーを供給するように前記電源を制御するように構成され、
前記電源管理モジュールが、前記USBモジュールを、前記外部情報処理装置から電気エネルギーを取得し、前記電源を充電するように制御するようにさらに構成される請求項１２に記載のホットスポット装置。
【発明の詳細な説明】
【技術分野】
【０００１】
本発明は、通信技術の分野に関し、より詳細には、ホットスポット装置に関する。
【０００２】
本願は、2009年5月12日に出願した中国特許出願第200910141039.4号の優先権を主張し、参照によりその全体が本明細書に組み込まれる。
【背景技術】
【０００３】
科学が進歩し続けていることにより、インターネットは、人々にとって不可欠な情報通信プラットフォームのうちの１つになっている。
【０００４】
ホットスポット装置は、特定のエリア内でインターネットの無線信号到達範囲を実現できる電子装置である。インターネットの無線信号到達範囲が実現されるエリアでは、携帯電話、パームトップコンピュータおよびノート型コンピュータなど、無線ローカルエリアネットワーク(WLAN: wireless local area network)機器(WLANハンドヘルド機器とも呼ばれる)は、ホットスポット装置と通信することができ、ホットスポット装置を介してインターネットに接続可能であり、それによってインターネットアクセス機能が実現される。
【０００５】
現在、一般的なホットスポット装置は主として、図１に示されるような無線ルーティングゲートウェイ1であり、この無線ルーティングゲートウェイは、ネットワーク接続モジュールと、ルータチップと、端末接続モジュールと、外部電源とを含む。ルータチップは、コンピュータ2などの外部情報処理装置がインターネットに接続されるように、ネットワーク接続モジュールを、ネットワークケーブル3(ブロードバンド)を介してインターネットに接続するように制御し、端末接続モジュールを、コンピュータ2などの外部情報処理装置と通信するように制御できる。外部電源は、外部電源アダプタ4を介してネットワーク接続モジュール、ルータチップおよび端末接続モジュールに電気エネルギーを供給する。
【０００６】
ホットスポット装置は、図１に示されたように、ネットワークケーブル3を介してコンピュータ2などの外部情報処理装置に接続されてよく、無線信号到達エリア内の他のコンピュータ2がホットスポット装置を介してインターネットに接続されるように、端末接続モジュールを介して特定のエリア内でインターネットの無線信号到達範囲を実現することもできる。
【０００７】
無線ルーティングゲートウェイは通常、インターネットをサーフィンするユーザに近い位置で固定配置される。インターネットに接続された無線ルーティングゲートウェイは、インターネットをサーフィンするユーザによって必要とされるエリア内でインターネットの無線信号到達範囲を実現することができる。無線ルーティングゲートウェイから10メートルから100メートル離れた範囲で、ユーザは、インターネットにアクセスするために、無線信号をサポートするノート型コンピュータまたは携帯情報端末(PDA: personal digital assistant)をエリア内にもって行き、インターネットに接続する必要があるにすぎない。
【発明の概要】
【発明が解決しようとする課題】
【０００８】
本発明の実現において、発明者は、従来技術のホットスポット装置は、特定のエリア内でインターネットの無線信号到達範囲をある程度までは実現可能であるが、少なくとも以下の問題が存在すると考える。
【０００９】
従来技術のルータチップが比較的高い電力消費および大きい体積を有するので、無線ルーティングゲートウェイは、通常、外部電源を必要とし、従って、インターネットをサーフィンするユーザに近い位置に固定的に配置できるのみであり、かつ、従来技術のルータチップは比較的高コストである。
【００１０】
本発明は、従来技術のホットスポット装置に採用されたルータチップが比較的高い電力消費、比較的大きい体積および比較的高いコストを有するという技術的な問題を解決できるホットスポット装置を目的とする。
【課題を解決するための手段】
【００１１】
上記目的を達成するために、本発明は、以下の技術的解決策を提供する。
【００１２】
ホットスポット装置が提供され、このホットスポット装置は、組込み型処理モジュールと、ネットワーク接続モジュールと、端末接続モジュールとを含む。
【００１３】
組込み型処理モジュールは、ネットワーク接続モジュールをインターネットに接続するように制御し、ネットワーク接続モジュールを端末接続モジュールと通信するように制御するように構成される。
【００１４】
端末接続モジュールは、局(STA: station)チップと、第１のアンテナとを含む。
【００１５】
STAチップは、特定のエリア内でインターネットの無線信号到達範囲を実現するために、組込み型処理モジュールによってネットワーク接続モジュールを介してインターネットから取得されたデータ情報を組込み型処理モジュールから受信し、データ情報を処理し、第１のアンテナを介して特定のエリア内でデータ情報を出力するように構成される。
【００１６】
STAチップはさらに、第１のアンテナから無線信号到達範囲のエリア内で無線ローカルエリアネットワーク(WLAN)機器によって出力された無線信号形式のデータ情報を受信し、データ情報を処理し、処理されたデータ情報を組込み型処理モジュールに入力し、処理されたデータ情報を組込み型処理モジュールおよびネットワーク接続モジュールを介してインターネットに送信するように構成される。
【００１７】
従来技術と比べて、本発明で提供された技術的解決策は、下記の技術的効果を有する。
【００１８】
本発明では、組込み型処理モジュールおよびSTAチップは、従来技術のルータチップの機能を実現するために採用される。組込み型処理モジュールおよびSTAチップは、比較的低いコストおよびかなり小さい体積を有する。さらに、従来技術のホットスポット装置に採用されたルータチップが比較的高い電力消費、比較的大きい体積および比較的高いコストを有するという技術的問題を解決するために、この組込み型処理モジュールおよびSTAチップは、低い電力消費を有し、電力を節約するという利点をも有する。
【００１９】
一方、本発明は上記利点を有するので、ホットスポット装置の携帯性が向上するように、本発明によるホットスポット装置に電気エネルギーを供給するために、携帯型電源を採用することもできる。
【００２０】
本発明の実施形態による、または従来技術の技術的解決策をより明確に示すために、諸実施形態または従来技術について表すための添付の図面について、下記に簡潔に述べる。明らかに、下記の説明において添付の図面は、本明細書の一部の実施形態にすぎず、創造的な取組みなしに当業者には、添付の図面から他の図面が導出されよう。
【図面の簡単な説明】
【００２１】
【図１】従来技術のホットスポット装置とコンピュータとWLAN機器との間の接続関係を示す概略図である。
【図２】本発明の一実施形態によるホットスポット装置の内部構造を示す概略図である。
【図３】本発明の一実施形態によるホットスポット装置の実装のやり方を示す概略図である。
【図４】本発明の一実施形態によるホットスポット装置の別の実装のやり方を示す概略図である。
【図５】主制御モジュール内のすべてのモジュールの接続関係、前記諸モジュールと、本発明の一実施形態によるホットスポット装置内の無線ネットワーク接続モジュール、端末接続モジュールおよび外部情報処理装置との間の接続関係を示す概略図である。
【図６】本発明の一実施形態によるホットスポット装置がWLAN機器間の通信だけをサポートする場合の、動作状態のすべての内部モジュールを示す概略図である。
【発明を実施するための形態】
【００２２】
本発明の技術的解決策について、添付の図面を参照して下記に明確かつ十分に述べる。述べられる諸実施形態は、本発明の実施形態のすべてではなく一部にすぎないことは明らかである。創造的な取組みなしに、本明細書中の諸実施形態に基づいて当業者によって得られる他のすべて実施形態は、本発明の保護の範囲に含まれるものである。
【００２３】
本発明は、いつでもどこでもインターネットをサーフィンするユーザによって必要とされるエリア内で無線信号到達範囲を実現できる携帯型かつ電力節約型のホットスポット装置を提供する。
【００２４】
図２および図３を参照すると、本発明の一実施形態によるホットスポット装置が、組込み型処理モジュール5と、ネットワーク接続モジュール6と、端末接続モジュール7とを含んでいる。
【００２５】
組込み型処理モジュール5は、ネットワーク接続モジュール6をインターネット8に接続するように制御し、ネットワーク接続モジュール6を端末接続モジュール7と通信するように制御するように構成される。
【００２６】
端末接続モジュール7は、STAチップ71と、第１のアンテナ72とを含む。
【００２７】
STAチップ71は、特定のエリア内でインターネット8の無線信号到達範囲を実現するために、組込み型処理モジュール5によってネットワーク接続モジュール6を介してインターネット8から取得されたデータ情報を組込み型処理モジュール5から受信し、データ情報を処理し、第１のアンテナ72を介して特定のエリア内で、処理されたデータ情報を出力するように構成される。
【００２８】
STAチップ71はさらに、第１のアンテナ72から無線信号到達範囲のエリア内で無線ローカルエリアネットワークWLAN機器11によって出力された無線信号形式のデータ情報を受信し、データ情報を処理し、処理されたデータ情報を組込み型処理モジュール5に入力し、組込み型処理モジュール5およびネットワーク接続モジュール6を介してインターネット8にデータ情報を送信するように構成される。
【００２９】
本発明では、組込み型処理モジュール5およびSTAチップ71は、従来技術のルータチップの機能を実現するために採用される。従来技術のホットスポット装置に採用されたルータチップが高い電力消費、大きい体積および高いコストを有するという技術的問題を解決するために、組込み型処理モジュール5およびSTAチップ71は、比較的低いコストおよびかなり小さい体積を有しており、電力消費が低く、電力を節約するという利点をも有する。
【００３０】
一方、本発明の実施形態は上記利点を有するので、本発明によるホットスポット装置の携帯性を向上させるため、本発明によるホットスポット装置に電気エネルギーを供給するために携帯型電源12を採用することもできる。
【００３１】
この実施形態では、組込み型処理モジュール5は、第3世代(3G: 3rd generation)ベースバンドチップであってよく、第１のアンテナ72はWLANアンテナであってよい。
【００３２】
図６を参照すると、少なくとも2つのWLAN機器11が存在する。組込み型処理モジュールは、WLAN機器11間の通信を実現するために、端末接続モジュールを、WLAN機器11間でデータを送信するように制御するようにさらに構成される。WLAN機器11間の通信は、インターネット8なしに実現することができ、WLAN機器11間のデータ伝送は、端末接続モジュール7を介して直接実現することができる。
【００３３】
ネットワーク接続モジュール6は、無線ネットワーク接続モジュール60および/または有線ネットワーク接続モジュールであってよい。
【００３４】
無線ネットワーク接続モジュール60は、無線信号を介してインターネット基地局80と通信し、インターネット基地局80を介してインターネット8に接続するように構成される。
【００３５】
有線ネットワーク接続モジュールは、ブロードバンドまたは電話回線を介してインターネット8に接続するように構成される。
【００３６】
この実施形態では、ネットワーク接続モジュール6は、無線信号によってインターネット8に接続されてよく、ブロードバンドまたは電話回線を介してインターネット8に接続されてもよい。
【００３７】
無線ネットワーク接続モジュール60は、無線チップ61と、第２のアンテナ62とを含む。
【００３８】
第２のアンテナ62は、無線信号形式のデータ情報を出力または受信することによってインターネット基地局80と通信する。
【００３９】
無線チップ61は、組込み型処理モジュール5からデータ情報を受信し、データ情報を処理し、第２のアンテナ62を介してインターネット基地局80にデータ情報を出力し、第２のアンテナ62からインターネット基地局80によって出力された無線信号形式のデータ情報を受信し、データ情報を処理し、処理されたデータ情報を組込み型処理モジュール5に入力するように構成される。
【００４０】
無線チップ61は、無線システムの基盤である。無線チップ61は、データ情報を無線信号形式のデータ情報へと処理し、アンテナモジュール62を介してインターネット基地局80にデータ情報を出力できる。無線チップ61は、無線信号形式データ情報を、組込み型処理モジュール5によって識別可能な形式へと処理し、データ情報を組込み型処理モジュール5に入力することもできる。
【００４１】
この実施形態では、第２のアンテナ62は、3Gアンテナであってよい。当業者に知られているように、3Gアンテナは、単純な周波数計画および所望のデータ送信能力を有する。
【００４２】
ホットスポット装置はさらに、ソフトアクセスポイント(ソフトAP)ソフトウェアプログラムを格納するように構成された記憶モジュール14を含む。組込み型処理モジュール5は、記憶モジュール14内のソフトAPソフトウェアプログラムをSTAチップ71にロードし、ソフトAPソフトウェアプログラムを介してSTAチップ71を駆動するように構成される。従来技術のSTAチップ71は、複数個のWLAN機器11自体と通信できず、複数個のWLAN機器11の接続を同時にはサポートできない。本発明の実施形態では、ソフトAPソフトウェアは、STAチップ71がソフトAPソフトウェアプログラムを介して駆動されるように、STAチップ71にダウンロードまたはロードされる。STAチップ71が駆動された後、STAチップ71は、複数個のWLAN機器11と通信し、複数個のWLAN機器11の接続を同時にサポートできる。
【００４３】
この実施形態では、記憶モジュール14は、マルチチップパッケージ(MCP: multi chip package)チップであってよい。MCPは、比較的高い整合性を有しており、フラッシュをランダムアクセスメモリ(RAM: random-access memory)と統合できる。
【００４４】
図５を参照すると、組込み型処理モジュール5が、無線データ転送モジュール53と、ルーティングモジュール51と、共有メモリモジュール54とを含んでいる。
【００４５】
共有メモリモジュール54は、無線データ転送モジュール53とルーティングモジュール51の間で交信されたデータを格納するように構成される。
【００４６】
無線データ転送モジュール53は、共有メモリモジュール54を介して無線チップとルーティングモジュールの間でデータ転送経路を確立するように構成される。
【００４７】
ルーティングモジュール51は、STAチップ71と通信するように構成されるだけでなく、共有メモリモジュール54を介して無線チップ61と通信するように構成される。
【００４８】
この実施形態では、組込み型処理モジュール5は、デュアルコアチップであってよい。無線データ転送モジュール53およびルーティングモジュール51は、デュアルコアチップの2つの異なるプロセッサコア上に別々に配置されてよい。明らかに、この実施形態では、組込み型処理モジュール5は、シングルコアとすることもできる。
【００４９】
共有メモリモジュール54は、仮想デュアルポートRAM型の共有メモリを採用してよい。仮想デュアルポートRAM型の共有メモリは、ソフトウェアを介して実現できる。ハードウェアを省くデュアルポートRAMは、コストが低くなる。明らかに、この実施形態では、共有メモリモジュール54は、ハードウェアデュアルポートRAMを採用することもできる。
【００５０】
図５を参照すると、ルーティングモジュール51およびSTAチップ71は、セキュアデジタル入出力(SDIO: secure digital input output)インタフェース16を介して互いに通信する。SDIOインタフェース16は、SD規格に基づいて定義された周辺インタフェースである。SDIOインタフェース16は、より低い電力消費を有し、電力を節約する。明らかに、組込み型処理モジュール5およびSTAチップ71は、ユニバーサルシリアルバス(USB: universal serial bus)インタフェースまた他のデータ伝送インタフェースを介して互いに通信することもできる。
【００５１】
ルーティングモジュール51は、低レベルドライバモジュール514と、インターネットプロトコル(IP)モジュール513と、ネットワークアドレス変換(NAT: network address translation)モジュール510と、ルート(route)モジュール520と、転送制御プロトコル(TCP: transfer control protocol)/ユーザデータグラムプロトコル(UDP: user datagram protocol)モジュール512と、ダイアルアップモジュール511と、共有メモリデータ送信モジュール50とを含む。
【００５２】
低レベルドライバモジュール514は、IPモジュール513とSTAチップ71の間でデータを送信するための物理インタフェースを駆動するように構成される。
【００５３】
IPモジュール513は、低レベルドライバモジュール514を介してSTAチップ71からデータを受信し、データをIPパッケージ形式にカプセル化し、IPパッケージをルートモジュール520に送信できる。あるいは、IPモジュール513は、ルートモジュール520からIPパッケージ形式のデータを取得し、低レベルドライバモジュール514によって識別可能な形式にデータを変換し、低レベルドライバモジュール514を介してSTAチップ71にデータを送信することもできる。
【００５４】
NATモジュール510は、WLAN機器11のアドレスとインターネット8のアドレスの間の変換を実行するように構成される。
【００５５】
ルートモジュール520は、IPモジュール513から受信したIPパッケージ形式のデータのルーティング構造によるIPパッケージ形式のデータのアドレスと、NATモジュール510によって割り当てられたアドレスとを照合し、データを転送する。
【００５６】
TCP/UDPモジュール512は、STAチップ71と通信するWLAN機器11が必要とするデータを識別し、WLAN機器11に対応するデータ伝送アドレスを識別するためにNATモジュール510と協働するように構成される。
【００５７】
ダイアルアップモジュール511は、ダイアルアップ方式でルートモジュール520とインターネット基地局80の間でデータ伝送路を確立するように構成される。
【００５８】
共有メモリデータ送信モジュール50は、共有メモリモジュール54を介して無線データ転送モジュール53にデータ情報を送信し、共有メモリモジュール54を介して無線データ転送モジュール53からデータ情報を読み出し、ルートモジュール520にデータ情報を入力するように構成される。
【００５９】
この実施形態では、共有メモリデータ送信モジュール50は、共有メモリデータ経路モジュール502と、制御モジュール501と、診断モジュール503とを含む。
【００６０】
共有メモリデータ経路モジュール502は、共有メモリモジュール54とルートモジュール520の間でデータを送信するように構成される。
【００６１】
制御モジュール501は、共有メモリデータ経路モジュール502上でデータ伝送路を確立し維持するように構成される。
【００６２】
診断モジュール503は、共有メモリモジュール54から、無線データ転送モジュール53に関する情報を受信し、無線データ転送モジュール53が正常に働くかどうかテストし、USBモジュール519を介して外部情報処理装置13にテスト結果を送信するように構成される。
【００６３】
外部情報処理装置13は、診断ソフトウェアで構成され、この診断ソフトウェアは、USBモジュール519から送信されたテストデータを読み出し、オペレータに通知するためにウィンドウ上にテストデータを表示するように構成される。
【００６４】
本発明の実施形態によるホットスポット装置はさらに、USBモジュール519を含む。USBモジュール519は、プラグ差込みにより外部情報処理装置13に電気的に接続される。ルーティングモジュール51はさらに、USBモジュール519を介して外部情報処理装置13と通信するように構成される。USBモジュール519は、外部情報処理装置13とルーティングモジュール51の間でデータを送信できる。明らかに、この実施形態では、ルーティングモジュール51は、他のハードウェアを介して外部情報処理装置13に電気的に接続されてもよい。
【００６５】
図４を共に参照すると、ホットスポット装置はさらに、電源管理モジュール9を含む。電源管理モジュール9は、ネットワーク接続モジュール6、組込み型処理モジュール5および端末接続モジュール7に適した電圧および/または電流の電力エネルギーを供給するように電源12を制御するように構成される。
【００６６】
電源12は、携帯型電源とすることができ、好ましくは充電式電池である。電源管理モジュール9はさらに、USBモジュール519を、外部情報処理装置13から電気エネルギーを取得し、電源12を充電するように制御するように構成される。
【００６７】
本発明の実施形態によるホットスポット装置が外部情報処理装置13に接続される場合、電源管理モジュール9は、USBモジュール519を、外部情報処理装置13から電気エネルギーを取得し、電源12を充電するように制御するように構成される。ここで、電源12または外部情報処理装置13は、ネットワーク接続モジュール6、組込み型処理モジュール5および端末接続モジュール7に電気エネルギーを供給できる。
【００６８】
この実施形態では、外部情報処理装置13は、ノート型コンピュータ、デスクトップコンピュータ、ワイヤレスフィデリティ(WiFi: wireless fidelity)機器、またはWLAN認証/プライバシー基盤(WAPI: WLAN authentication and privacy infrastructure)機器であってよい。一般的なWiFi機器には、スマートフォン、Wi-Fi機能を備えたデジタルカメラ、プレイステーションポータブル(PSP: play station portable)などの携帯型電子ゲームプレーヤー、ならびにiPod touch(iPodプレーヤー)などのMP3(MPEG(moving picture expert group) Audio Layer 3)またはMP4プレーヤーが含まれる。
【００６９】
ノート型コンピュータおよびWiFi機器は、本発明によるホットスポット装置と一緒に容易に持ち運べるので、本発明によるホットスポット装置と一緒にノート型コンピュータおよびWiFi機器を使用するのがより便利である。
【００７０】
上記内容は、本発明の単に特定の実施形態であるが、本発明の範囲を限定するものではない。当業者に容易に想到される任意の変形物および置換物、ならびに本発明の範囲を逸脱せずに実施形態の様々な技術的特徴を組み換えることによって形成される実施形態は、添付の特許請求の範囲によって定義される本発明の範囲内に含まれるべきである。
【符号の説明】
【００７１】
1  無線ルーティングゲートウェイ
2  コンピュータ
3  ネットワークケーブル
4  外部電源アダプタ
5  組込み型処理モジュール
6  ネットワーク接続モジュール
7  端末接続モジュール
8  インターネット
9  電源管理モジュール
11  WLAN機器
12  電源
13  外部情報処理装置
14  記憶モジュール
16  SDIOインタフェース
50  共有メモリデータ送信モジュール
51  ルーティングモジュール
53  無線データ転送モジュール
54  共有メモリモジュール
60  無線ネットワーク接続モジュール
61  無線チップ
62  第２のアンテナ
71  STAチップ
72  第１のアンテナ
80  インターネット基地局
501  制御モジュール
502  共有メモリデータ経路モジュール
503  診断モジュール
510  NATモジュール
511  ダイアルアップモジュール
512  TCP/UDPモジュール
513  IPモジュール
514  低レベルドライバモジュール
519  USBモジュール
520  ルートモジュール
【図１】
0005495142.tif 000002
【図２】
0005495142.tif 000003
【図３】
0005495142.tif 000004
【図４】
0005495142.tif 000005
【図５】
0005495142.tif 000006
【図６】
0005495142.tif 000007